(57)【特許請求の範囲】
【請求項１】
塗膜転写具のケースに着脱自在に取り付けられる、内部に交換用塗膜転写テープが巻き回された供給リールと該テープを巻き取る巻き取りリールとを収受保持しているテープカートリッジにおいて、前記テープカートリッジは、前記ケースに嵌合して取り付けられるカートリッジケースを備え、該カートリッジケースは、前記供給リールと巻き取りリールの回転面に対し略垂直に立設された周壁と該周壁の上側を閉じる上壁とを備えて下側は開いており、前記周壁には下側縁部から切り欠いて形成した前記テープが出入り可能な開口部が形成され、前記テープカートリッジは前記開口部に着脱自在に取り付けられるテープ緊張具をさらに備え、該テープ緊張具は、後端側において互いに離れ、先端側において一体化している、上下方向で幅を有する二つの延長部を含んだ周壁を備え、前記延長部は前記後端側において対向して前記開口部に取り付けられ、前記延長部には、それぞれ前記幅方向の下側縁部から上側縁部に向かって所定の長さで伸びるスリットが形成され、前記テープは前記カートリッジケース内から前記スリットの一方を通って前記テープ緊張具の前記先端部側の外側を回って前記スリットの他方を通ってカートリッジケース内部へ戻れるように構成されていることを特徴とする、テープカートリッジ。
【請求項２】
請求項１記載のテープカートリッジにおいて、前記カートリッジケースの前記周壁に形成された前記開口部は、前記テープカートリッジが前記ケースに取り付けられたときに、前記ケースにより被覆されず、前記塗膜転写具の転写ヘッドの軸部が挿通されるヘッド軸挿通開口部を前記ケースとともに画成することを特徴とする、テープカートリッジ。
【請求項３】
請求項２記載のテープカートリッジにおいて、前記テープ緊張具は、前記テープカートリッジが前記ケースに取り付けられた時に、前記ケースに取り付けられた前記転写ヘッドの前記ケースから外に出ている先端部を内部に収受可能な形状となっていることを特徴とする、テープカートリッジ。
【請求項４】
請求項１乃至３のいずれか１に記載のテープカートリッジにおいて、前記テープ緊張具は、前記周壁の上側を閉じる上壁を備え、前記延長部の後端部の互いに対向する内面側には、上下にのびるリブを備え、前記カートリッジケースの前記周壁の前記開口部を画成する部分の外面側には、前記リブが収受される縦溝が形成されていることを特徴とする、テープカートリッジ。
【発明の詳細な説明】
【０００１】
【産業上の利用分野】
本発明は塗膜転写具用テープカートリッジに関し、さらに詳細に言えば、カートリッジに取り付けられた塗膜転写用テープを緊張状態に維持するテープ緊張具を備えた塗膜転写具用テープカートリッジに関する。
【０００２】
【従来の技術】
従来から、例えば書いた文字の修正等を行う際にその部分に修正塗膜を塗布する塗膜転写具が使用されている。そして、その塗膜転写具に使用する修正用の塗膜転写テープを、転写具のケースに取り付け、取り外し可能なカートリッジとして構成して交換可能としたものが、例えば特開平７−８９６６２号等に開示されている。
【０００３】
しかし従来のカートリッジでは、カートリッジを転写具に取り付けた後、テープを指で摘むなどして繰り出して、転写ヘッドの先端加圧部を回るように経由させて装着させる作業が必要である。その際に、テープの繰り出し量を調節する必要があり、それに時間を要したり、或いはその作業中にテープ上の塗膜を傷つけてしまうこともある。また、カートリッジの状態で最初からテープを弛ませておくことも、取扱中にテープ上の塗膜を傷つけることとなり、好ましくない。
【０００４】
【発明が解決しようとする課題】
本願発明は上記課題に鑑みなされたものであり、カートリッジに収受されたテープを、その一部において該カートリッジの外に出し、その部分を転写ヘッドの先端を回っている状態に近似した状態で緊張させておく、テープ緊張具を備えた、カートリッジ式転写具用テープカートリッジを提供することをその課題とする。
【０００５】
【課題を解決するための手段】
上記課題を解決するために本発明は以下の構成とした。すなわち、本発明に係るテープカートリッジは、ケースに嵌合して取り付けられるカートリッジケースを備えている。そのカートリッジケースは、内部の供給リールと巻き取りリールの回転面に対し略垂直に立設された周壁と該周壁の上側を閉じる上壁とを備え、下側は開いている。周壁には下側縁部から切り欠いて形成したテープが出入り可能な開口部が形成され、この開口部に着脱自在に取り付けられるテープ緊張具を備える。該テープ緊張具は、後端側において互いに離れ、先端側において一体化している、上下方向で幅を有する二つの延長部を含んだ周壁を備え、延長部はその後端側において対向してカートリッジケースの開口部に取り付けられる。延長部には、それぞれ幅方向の下側縁部から上側縁部に向かって所定の長さで伸びるスリットが形成される。これにより、テープはカートリッジケース内からスリットの一方を通ってテープ緊張具の先端側の外側を回ってスリットの他方を通ってカートリッジケース内部へ戻れる。これにより、テープを緊張状態に維持できる。
【０００６】
ある実施の形態では、カートリッジケースの周壁に形成された開口部は、このテープカートリッジがケースに取り付けられたときに、ケースにより被覆されず、塗膜転写具の転写ヘッドの軸部が挿通されるヘッド軸挿通開口部をケースとともに画成する。これにより、テープ緊張具を取り付けた状態のままで、テープカートリッジを転写具のケースに取り付けることが出来る。
【０００７】
他の実施の形態では、テープ緊張具は、テープカートリッジがケースに取り付けられた時に、ケースに取り付けられた転写ヘッドのケースから外に出ている先端部を内部に収受可能な形状となっている。これにより、テープ緊張具を外せば、テープは転写ヘッドの先端部の周囲を回る状態となり、わざわざテープを転写ヘッドに巻き回す必要がない。また、テープ緊張具は転写具を使用しないときの転写ヘッドカバーとして使用可能となる。
【０００８】
【発明の実施の形態】
以下、図面に基づき本願発明の具体的実施の形態を説明するが、本願発明の範囲は以下に説明される実施の形態に限定されるものではない。
【０００９】
図１は、本願発明の具体的な実施の形態に係るテープ緊張具１（以下、単に「緊張具」という）を示す図で、（イ）は平面図、（ロ）は（イ）のＡ−Ａ断面図である。
【００１０】
緊張具１は図に示されるように、一端側において閉じ、他端側において開いている周壁３を備えている。すなわち周壁３は、丸みをもって閉じた先端部７と、この先端部７からそれぞれ後方へ延びている延長部５ａ、５ｂからなる。図示のとおり周壁３は左右（図１（イ））において上下）対称となっている。
【００１１】
各延長部は、後方へ斜めに延びるに従い互いに遠ざかる傾斜部９ａ、９ｂと、それに連なる外側に凸であり、その後端部１２ａ、１２ｂが再び互いに近づく円弧部１１ａ、１１ｂを備えている。そしてさらに、切欠き或いはスリット１３ａ、１３ｂを挟んで存在する、取り付け部としての第２の傾斜部１４ａ、１４ｂを備えている。すなわち、第２の傾斜部１４ａ、１４ｂは傾斜部９ａ、９ｂと同様に後方へ延びるに連れて互いに遠ざかるように斜めに形成されている。そしてその前端部１５ａ、１５ｂは円弧部の端部１２ａ、１２ｂから左右方向でより外側に、且つ前後方向で少し後ろに位置し、円弧部の後端部１２ａ、１２ｂとの間に下側縁部から上側縁部に向かって、所定の長さ（本実施の形態では後述の上壁を残して）のスリット１３ａ、１３ｂを形成している。なお、先端部７と、傾斜部９ａ、９ｂと円弧部１１ａ、１１ｂとは後述のとおり、テープ巻回部６を形成する。
【００１２】
第２の傾斜部１４ａ、１４ｂは後述するようにテープカートリッジのカートリッジケースに取り付けられる部分である。そして、そのための突条或いはリブ１６ａ、１６ｂが図示のとおり、取り付け部１４ａ、１４ｂの内面側に形成されている。
【００１３】
符号１７は上壁であり、周壁３の上側を閉じるとともに、周壁３の三つの部分、テープ巻回部６と左右の取り付け部１４ａ、１４ｂを一体化している。なお、図示はしないが、他の実施の形態では、強度が確保できればこの上壁１７を除くことが可能であり、その場合、延長部５ａ、５ｂの円弧部１１ａ、１１ｂの後端部１２ａ、１２ｂと、取り付け部１４ａ、１４ｂの前端部１５ａ、１５ｂとは上端部分において、ある幅をもった結合部により繋がれ、一体化される。従って、スリット１３ａ、１３ｂは周壁３の上端側にその結合部を残して形成される。
【００１４】
図２はテープカートリッジ３１を示す平面図であり、テープカートリッジ３１はカートリッジケース３３を備えている。このテープカートリッジ３１は、カートリッジケース３３内にテープ及び該テープを供給する側の供給リール及び巻き取る側の巻き取りリール等を備え、後述する転写具に着脱自在に取り付けられ、使用済みのテープを新しいテープと交換するものである。リール等の構成については公知であり、また本願発明の趣旨とは関係がないので、その図示及び説明は省略する。
【００１５】
カートリッジケース３３は周壁３５とその上側を閉じる上壁３４とを備え、下面側は開いている。周壁３５は、円弧状の部分３７と、その両端から、次第に互いに近づくように傾斜している傾斜部３９ａ、３９ｂを備えている。傾斜部３９ａ、３９ｂの先端部４０ａ、４０ｂは所定の間隔で互いに離れていて、上壁３４と共に下側が開いたテープ出入口としての開口部４１を画成する。そしてこの先端部４０ａ、４０ｂは傾斜部３９ａ、３９ｂの他の部分より肉厚となっており、その外側面側にに縦方向（図面の紙面に垂直方向）に溝４３ａ、４３ｂが形成されている。この溝４３ａ、４３ｂに、前述のテープ緊張具１の取り付け部１４ａ、１４ｂに形成されたリブ１６ａ、１６ｂがそれぞれ嵌まって緊張具１はカートリッジケース３３に取り付けられる。すなわち、図２の紙面上方から下方へ、緊張具１のリブ１６ａ、１６ｂを溝４３ａ、４３ｂに沿わせて移動させて緊張具１をカートリッジケース３３に取り付ける。
【００１６】
図３はその緊張具１を取り付けた状態の部分平面図である。テープ３０は、カートリッジケース３３内にある供給リール（図示せず）からテープ出入口である開口部４１を通って緊張具１の一方のスリット１３ｂを通って緊張具１の外側に出る。そしてテープ巻回部６を回って他方のスリット１３ａから緊張具１内に入り、テープ出入口４１を通って巻き取りリールへ伸びている。
【００１７】
テープ緊張具１を取り付ける際には、テープ３０を少しテープ出入口４１の外に引き出して拡げておく。そしてその拡がった部分の内側に緊張具１のテープ巻回部５が入るようにし、テープ３０がスリット１３ａ、１３ｂを通過するようにして、緊張具１のリブ１６ａ、１６ｂを溝４３ａ、４３ｂに合わせて、取り付ける。テープ３０の繰り出した部分に弛みがある場合には、適宜な巻き取りボタンで巻き取りリールを回転させ、テープ３０を弛みなく、緊張具１のテープ巻回部６に巻き付けておくことが出来る。
【００１８】
図４は、上述のテープ緊張具１が取り付けられたテープカートリッジ３１が取り付けられる転写具のケース５１の平面図である。ケース５１はテープカートリッジ３１のカートリッジケース３３の周壁３５をややきつめの状態で内側に収受する周壁５５と、その下側面を閉じる底壁５４とを備えて、上側は開いている。周壁５５はそれぞれカートリッジケース３３の円弧部３７と傾斜部３９ａ、３９ｂに対応する円弧部５７と傾斜部５９ａ、５９ｂとを備えている。但し、傾斜部５９ａ、５９ｂの先端の、カートリッジケース３３の先端部４０ａ、４０ｂに対応する部分は切欠き６０ａ、６０ｂとなっており、この部分に先端部４０ａ、４０ｂを受け入れる。すなわち、このカートリッジケース３３の先端部４０ａ、４０ｂは、カートリッジケース３３をケース５１に組付けても、ケース５１によって覆われることはなく、外部に露出している。底壁５４上には、公知の形状であって差し支えない転写ヘッド６１が、その基部６２において下壁５４に固定され、軸部６３が前方へ延びて、その先端の尖頭部分６４をケース５１の外に出して取り付けられている。符号６５はガイド板である。
【００１９】
この状態のケース５１にテープ緊張具１を取り付けた状態のテープカートリッジ３１を上側から嵌め込んだ塗膜転写具７１の部分拡大平面図を図５に示す。この状態においてカートリッジケース３１の開口部４１の開いていた下側の部分はケース５１の下壁５５により閉じられ、転写ヘッド６１の軸部が挿通されるヘッド軸挿通開口部７３が形成される。そして尖頭部６４及びガイド板６４は、緊張具１の先端部７、傾斜部９ａ、９ｂ、円弧部１１ａ、１１ｂにより形成されるテープ巻回部６の内側に位置する。この状態でテープ緊張具１をケース５１及びカートリッジケース３３に対して上方へ移動して外す。そしてテープ３０の弛みを取ると、塗膜転写具７１は使用可能の状態となる。なお、外したテープ緊張具１は、この転写具１が使用されない時に再度塗膜転写具７１に、より具体的に言えば、ケース５１に取り付けられたテープカートリッジ３１のカートリッジケース３３に取り付けて、ヘッドカバーとして使用することが出来る。
【００２０】
【発明の効果】
上記説明から明らかなとおり、本発明によれば、カートリッジ式塗膜転写具に使用するテープカートリッジは、上記テープ緊張具を取り付けることにより、テープに弛みがなく、緊張した状態で維持することができる。
【００２１】
また、テープ緊張具は、カートリッジケースのテープ出入口となる開口部に取り付けられ、その開口部は、カートリッジケースが転写具のケースの取り付けられてもケースによって覆われることがないので、テープ緊張具をテープカートリッジに取り付けた状態のままでテープカートリッジのケースへの取り付けが出来、その際テープをいじる必要がない。
【００２２】
また、テープ緊張具は、テープカートリッジがケースに取り付けられた時に、ケースの取り付けられた転写ヘッドのケースから外に出ている先端部を内部に収受可能な形状となっているので、テープカートリッジをケースに取り付けた後にこのテープ緊張具を取り外すと、テープが転写ヘッドの先端周囲を囲んで位置することとなり、わざわざテープを操作して転写ヘッドの周囲に巻き付ける操作をする必要がない。また、そのテープ緊張具をその後はヘッドカバーとして使用することも可能である。
【図面の簡単な説明】
【図１】本発明の具体的実施の形態にかかるテープ緊張具の図で、（イ）は平面図、（ロ）は（イ）のＡ−Ａ断面図である。
【図２】テープカートリッジの平面図である。
【図３】テープカートリッジにテープ緊張具を取り付けた状態を示す部分拡大平面図である。
【図４】ケースの平面図である。
【図５】ケースのテープ緊張具の付いたテープカートリッジを取り付けた状態を示す部分拡大平面図である。
【符号の説明】
１  テープ緊張具
３  周壁
５ａ、５ｂ  延長部
６  テープ巻回部
７  先端部
９ａ、９ｂ  傾斜部
１１ａ、１１ｂ  円弧部
１３ａ、１３ｂ  スリット
１４ａ、１４ｂ  取り付け部
１６ａ、１６ｂ  リブ
１７  上壁
３０  テープ
３１  テープカートリッジ
３３  カートリッジケース
３４  上壁
３５  周壁
４１  開口部（テープ出入口）
４３ａ、４３ｂ  溝
５１  ケース
５３  周壁
５５  下壁
６１  転写ヘッド
６３  軸部
６４  尖頭部
７１  塗膜転写具
【図１】
0004294830.tif 000002
【図２】
0004294830.tif 000003
【図３】
0004294830.tif 000004
【図４】
0004294830.tif 000005
【図５】
0004294830.tif 000006